(57)【要約】      （修正有）【課題】吸引力発生部に電源供給を行って電源供給部の寿命が長くなる一方、吸引力発生部から発生されるノイズの量を減少させることのできるスティック型真空掃除機を提供する。【解決手段】吸引組立体１００は、被掃除面から空気と共にゴミの吸い込まれる吸引口が形成されたケーシング部と、前記ケーシング部内に設けられて吸引力を発生させる吸引力発生部１４０と、前記被掃除面から吸い込まれた前記空気から前記ゴミを分離して回収する集塵ユニット１５０と、前記吸引力発生部に電源供給を行う電源供給部と、を含み、前記吸引力発生部は、前記吸引口と前記集塵ユニットとの間に配され、吸い込まれた前記空気およびゴミは前記吸引力発生部を通過した後、前記集塵ユニットに流入されることを特徴とする。【選択図】図２
2009050687.tif 000002
【特許請求の範囲】
【請求項１】
被掃除面に沿って移動可能に備えられた前記被掃除面からゴミを吸引して回収する吸引組立体と、一端は前記吸引組立体の一方に結合し、他端には前記吸引組立体を前記被掃除面に沿って移動させ易く取っ手部が備えられたスティック部を有するスティック型真空掃除機であって、
前記吸引組立体は、
前記被掃除面から空気と共にゴミの吸い込まれる吸引口が形成されたケーシング部と、
前記ケーシング部内に設けられて吸引力を発生させる吸引力発生部と、
前記被掃除面から吸い込まれた前記空気から前記ゴミを分離して回収する集塵ユニットと、
前記吸引力発生部に電源供給を行う電源供給部と、を含み、
前記吸引力発生部は、前記吸引口と前記集塵ユニットとの間に配され、吸い込まれた前記空気およびゴミは前記吸引力発生部を通過した後、前記集塵ユニットに流入されることを特徴とするスティック型真空掃除機。
【請求項２】
前記吸引力発生部は、
回転駆動され前記吸引力を発生させ、前記吸引口と前記集塵ユニットとの間に形成される流路上に露出されるよう配置されるインペラと、
前記電源供給部から電源供給を受けて前記インペラを回転させる吸引モータとを有することを特徴とする請求項１に記載のスティック型真空掃除機。
【請求項３】
前記集塵ユニットは、
前記吸引口を介して吸い込まれた前記空気から前記ゴミを遠心力により分離するサイクロンチャンバーと、
前記サイクロンチャンバーから分離された前記ゴミを回収するゴミ回収チャンバーとを有することを特徴とする請求項１に記載のスティック型真空掃除機。
【請求項４】
前記集塵ユニットは、
前記サイクロンチャンバーと前記ゴミ回収チャンバーとが相互並列に配置され、一端にはサイクロン入口が形成され、他端には前記サイクロンチャンバーおよび前記ゴミ回収チャンバーが開口されたサイクロン集塵部と、
前記サイクロン集塵部の前記他端をカバーし、前記サイクロンチャンバーから空気が排出されるようガイドする排気管が形成された側面カバーとを有することを特徴とする請求項３に記載のスティック型真空掃除機。
【請求項５】
前記集塵ユニットは、
前記側面カバーの外側面に設けられ、前記サイクロンチャンバーからの排気に含まれた残留ゴミをろ過するフィルタ部材と、
前記側面カバーの前記外側面に着脱自在に備えられ、前記側面カバーに設けられた前記フィルタ部材を保持するフィルタ保持部材とを更に含むことを特徴とする請求項４に記載のスティック型真空掃除機。
【請求項６】
前記フィルタ保持部材には、少なくとも１つの空気通過孔が形成されたことを特徴とする請求項５に記載のスティック型真空掃除機。
【請求項７】
前記サイクロン集塵部の上面は前記サイクロンチャンバーおよび前記ゴミ回収チャンバーが透視されるよう透明な材質から形成されたことを特徴とする請求項４に記載のスティック型真空掃除機。
【請求項８】
前記ケーシング部には吸うジンユニット装着室が形成され、前記集塵ユニットは前記集塵ニット装着室に着脱自在に設けられたことを特徴とする請求項１に記載のスティック型真空掃除機。
【請求項９】
前記吸引組立体は、
前記吸引口に回転自在に設けられた回転ブラシと、
前記回転ブラシを駆動する回転ブラシモータとを更に含むことを特徴とする請求項１に記載のスティック型真空掃除機。
【請求項１０】
前記回転ブラシのモータは、前記電源発生部から電源の供給を受けることを特徴とする請求項９に記載のスティック型真空掃除機。
【請求項１１】
前記スティック部は、
前記吸引組立体の一方に結合される結合部と、
前記結合部から延長形成されたスティック形状の延長部と、
前記延長部の一端に備えられた取っ手部とを含むことを特徴とする請求項１に記載のスティック型真空掃除機。
【請求項１２】
前記電源発生部は、前記ケーシング部の内部の取り替え可能に設けられたバッテリであることを特徴とする請求項１に記載のスティック型真空掃除機。
【発明の詳細な説明】
【技術分野】
【０００１】
本発明は、スティック型真空掃除機に関し、詳細にはバッテリのような電源供給部の寿命を伸ばしつつ、ノイズは減少させることのできるスティック型真空掃除機に関する。
【背景技術】
【０００２】
一般的な真空掃除機は、吸引力を用いて被掃除面からゴミを吸い込んで回収する電気製品であって、様々な種類の真空掃除機が開発されつつある。
【０００３】
その中のキャニスタ型真空掃除機は、通常、真空掃除機本体と、吸引組立体と、連結部とを備える。真空掃除機本体には、吸引力を発生させる吸引力発生部と、吸い込まれたゴミを分離して回収する集塵ユニットとを備える。このとき吸引力発生部は、通常、回転自在に備えられたインペラと、このインペラを回転駆動する吸引モータを有する。吸引組立体は、被掃除面に接した状態で被掃除面に沿って移動しながら吸引口を介して被掃除面からゴミと共にゴミを吸い込む。連結部は、吸引組立体と真空掃除機本体とを連結するが、ユーザが把持する部分である取っ手部と、吸引口組立体と取っ手部とを連結する延長管と、取っ手部と真空掃除機本体とを連結するフレキシブルホスを備える。
【０００４】
かかるキャニスタ型真空掃除機は、吸引力発生部への電源供給を行うために外部に露出された電源線を備え、この電源線の一端に備えられたプラグを室内のコンセントに挿入することによって、吸引力発生部に電源供給を行なうことが通常である。
【０００５】
ユーザがキャニスタ型真空掃除機を使用する際に、吸引組立体だけでなく、吸引組立体と連結された真空掃除機本体と共に移動しなければならない。従って、真空掃除機本体が周りのモノと衝突しないよう、ユーザは常に気を払わなければならない。
【０００６】
キャニスタ型真空掃除機の不便さを克服するための形態の１つとして、スティック型真空掃除機が挙げられる。スティック型真空掃除機の外見は、キャニスタ型真空掃除機の構成のうち吸引口組立体、延長管、および取っ手部のみで形成された形状を有している。スティック型真空掃除機は、真空掃除機本体を省略する代わりに吸引口組立体に吸引力発生部と集塵ユニットを備える。従って、スティック型真空掃除機では吸引口組立体は自体的に発生させた吸引力を用いてゴミの吸い込みを行い、さらに吸い込まれたゴミを回収する。さらに、スティック型真空掃除機は、電源線なしにも使用できるよう、吸引口組立体に吸引力発生部に電源供給のためにバッテリのような電源供給部を備えることが一般的である。
【０００７】
ところが、ほとんどのスティック型真空掃除機の場合、吸引力発生部は、集塵ユニットの後方に配置される。従って、吸引力発生部より発生された真空圧は、集塵ユニットを介して吸引口に伝達される。これにより吸引力発生部より発生された真空圧は、吸引口に伝達される過程で集塵ユニットである程度の圧力損失を受けざるを得ない。従って、吸引力発生部は集塵ユニットにおける圧力損失を克服し、充分な吸引力を吸引口へ提供するためにインペラを比較的早い速度で回転させなければならない。
【０００８】
これにより、吸引力発生部が集塵ユニットの後方に配置されたスティック型真空掃除機の場合、吸引力発生部が消耗する電源量が大きくなり、吸引力発生部に電源供給を行うバッテリのような電源供給部の寿命が相対的に短縮してしまう問題がある。また、インペラの早い回転によって吸引口組立体で発生するノイズも増大する恐れがある。
【特許文献１】韓国特許公開第２００２−５９２５９号公報
【特許文献２】日本特許公開第２００３−５２５８７号公報
【特許文献３】米国登録特許第７０１３５２８号
【発明の開示】
【発明が解決しようとする課題】
【０００９】
本発明は前述した問題点を解決するために案出されたもので、本発明の目的は、吸引力発生部に電源供給を行う電源供給部の寿命が延びる一方、吸引力発生部から発生されるノイズ量が減少されるスティック型真空掃除機を提供することにある。
【課題を解決するための手段】
【００１０】
前述した目的は、被掃除面に沿って移動可能に備えられた前記被掃除面からゴミを吸引して回収する吸引組立体と、一端は前記吸引組立体の一方に結合し、他端には前記吸引組立体を前記被掃除面に沿って移動させ易く取っ手部が備えられたスティック部を有するスティック型真空掃除機において、前記吸引組立体は、前記被掃除面から空気と共にゴミの吸い込まれる吸引口が形成されたケーシング部と、前記ケーシング部内に設けられて吸引力を発生させる吸引力発生部と、前記被掃除面から吸い込まれた前記空気から前記ゴミを分離して回収する集塵ユニットと、前記吸引力発生部に電源供給を行う電源供給部と、を含み、前記吸引力発生部は、前記吸引口と前記集塵ユニットとの間に配され、吸い込まれた前記空気およびゴミは前記吸引力発生部を通過した後、前記集塵ユニットに流入されることを特徴とするスティック型真空掃除機により達成される。
【００１１】
ここで、前記吸引力発生部は、回転駆動され前記吸引力を発生させ、前記吸引口と前記集塵ユニットとの間に形成される流路上に露出されるよう配置されるインペラと、前記電源供給部から電源供給を受けて前記インペラを回転させる吸引モータとを有することができる。
【００１２】
また、前記集塵ユニットは、前記吸引口を介して吸い込まれた前記空気から前記ゴミを遠心力により分離するサイクロンチャンバーと、前記サイクロンチャンバーから分離された前記ゴミを回収するゴミ回収チャンバーとを有する。
【００１３】
さらに、前記集塵ユニットは、前記サイクロンチャンバーと前記ゴミ回収チャンバーとが相互並列に配置され、一端にはサイクロン入口が形成され、他端には前記サイクロンチャンバーおよび前記ゴミ回収チャンバーが開口されたサイクロン集塵部と、前記サイクロン集塵部の前記他端をカバーし、前記サイクロンチャンバーから空気が排出されるようガイドする排気管が形成された側面カバーとを有する。
【００１４】
また、前記集塵ユニットは、前記側面カバーの外側面に設けられ、前記サイクロンチャンバーからの排気に含まれた残留ゴミをろ過するフィルタ部材と、前記側面カバーの前記外側面に着脱自在に備えられ、前記側面カバーに設けられた前記フィルタ部材を保持するフィルタ保持部材とを更に含むことができる。
【００１５】
ここで、前記フィルタ保持部材には、少なくとも１つの空気通過孔が形成されたことが好ましい。
【００１６】
そして、前記サイクロン集塵部の上面は前記サイクロンチャンバーおよび前記ゴミ回収チャンバーが透視されるよう透明な材質から形成されたことが好ましい。
【００１７】
また、前記ケーシング部には吸うジンユニット装着室が形成され、前記集塵ユニットは前記集塵ニット装着室に着脱自在に設けられたことが好ましい。
【００１８】
さらに、前記吸引組立体は、前記吸引口に回転自在に設けられた回転ブラシと、前記回転ブラシを駆動する回転ブラシモータと、を更に含むことができる。
【００１９】
また、前記回転ブラシのモータは、前記電源発生部から電源の供給を受けることができる。
【００２０】
そして、前記スティック部は、前記吸引組立体の一方に結合される結合部と、前記結合部から延長形成されたスティック形状の延長部と、前記延長部の一端に備えられた取っ手部とを含む。
【００２１】
前記電源発生部は、前記ケーシング部の内部の取り替え可能に設けられたバッテリであることが好ましい。
【発明の効果】
【００２２】
本発明によると、吸引力発生部が吸引口と集塵ユニットとの間に配置されることによって、吸引力発生部より発生された吸引力が吸引口に伝達される経路上で集塵ユニットにより圧力損失を受ける恐れを防止する。これにより電力消耗の少ない吸引モータを使用しても吸引口に充分な吸引力を提供することができる。その結果、電源供給部の寿命が延びるだけでなく、インペラ回転の減速によりノイズ量が減少される効果がある。
【発明を実施するための最良の形態】
【００２３】
以下、添付の図面に基づいて本発明の好適な実施形態を詳述する。
【００２４】
図１は本発明の実施形態にかかるスティック型真空掃除機の斜視図であり、図２は図１のスティック型真空掃除機に備えられた吸引組立体を上部ケーシングの除去された状態を示す平面図であり、図３は図１のスティック型真空掃除機に備えられた集塵ユニットの部分の分解斜視図であり、図４は図３の集塵ユニットに備えられた側面カバーの他の方向からみた斜視図であり、図５は図１のV−V線に沿った断面図であり、図６は図１のVI-VI線に沿った断面図である。
【００２５】
図１ないし図２を参照すると、本実施形態のスティック型真空掃除機１は、吸引口組立体１００とスティック部２００を備えている。
【００２６】
吸引口組立体１００は、被掃除面に沿って移動可能に設けられ、吸引力を用いて被掃除面からゴミを吸い込んで回収する。スティック部２００は、ユーザが吸引口組立体１００を被掃除面に沿って容易に移動させるために吸引口組立体１００の後端に結合される。このようなスティック部２００は、吸引口組立体１００の後端に結合される結合部２１０、この結合部２１０から延長形成されたスティック形状の延長部２２０、この延長部２２０の上端に設けられてユーザが容易に把持できるよう形成された取っ手部２３０を備える。
【００２７】
図１、図２および図６を参照すると、吸引口組立体１００は、ケーシング部１１０、回転ブラシ１２０、回転ブラシモータ１２１、電源供給部１３０、吸引力発生部１４０、集塵ユニット１５０を備えてなる。
【００２８】
図１を参照すると、ケーシング部１１０は、上部ケーシング１１１と下部ケーシング１１２を備える。上部ケーシング１１１には集塵ユニット１５０が取り付けられる集塵ユニット装着室（Ｓ）が形成されている。さらに、上部ケーシング１１１の後端には集塵ユニット１５０でゴミの分離過程が終了された空気が吸引口組立体１００の外へ容易に排出されることができるよう複数の排気孔１１１ａが形成されている。
【００２９】
図６に基づくと、下部ケーシング１１２の前端には吸引口１１２ａが形成されている。かかる吸引口１１２ａを介して被掃除面上のゴミは周りの空気と共に吸引口組立体１００内に吸い込まれる。
【００３０】
図２および図６に示すように、回転ブラシ１２０は、吸引口１１２ａに配置されるよう下部ケーシング１１２の前端に設けられている。かかる回転ブラシ１２０は回転ブラシモータ１２１により回転駆動され、下端部が被掃除面上に接触されることによって、被掃除面上に存在するゴミが被掃除面から容易に分離されるよう施す。
【００３１】
回転ブラシモータ１２１は、電源供給部１３０（図６参照）から電源供給を受ける。本実施形態において電源供給部１３０は、ケーシング部１１０の内部に取り替えできるよう設けられたバッテリ１３０として備えられる。参考に、バッテリ１３０は、回転ブラシモータ１２１のみならず後述する吸引モータ１４１にも電源の供給を行なう。
【００３２】
図２を参照すると、吸引力発生部１４０は、吸引モータ１４１、インペラ１４２、吸引口連結管１４３を備えている。吸引モータ１４１は、バッテリ１３０から電源の供給を受けてインペラー１４２を回転駆動する。このインペラ１４２は、吸引モータ１４１により回転駆動され吸引力（または真空圧）を発生させる。吸引口連結管１４３は、吸引口１１２ａとインペラ１４２とを連結して吸引口１１２ａから吸い込まれた空気およびゴミがインペラ１４２へ流入できるようガイドする。
【００３３】
このように吸引組立体１００は、吸引力発生部１４０および吸引力発生部１４０に電源供給を行なうバッテリ１３０を備え、自体的に吸引力を発生させる。従って、本実施の形態の真空掃除機１は、外部から電源供給を受けるための電源線が備えられる必要がない。
【００３４】
図２を参照すると、吸引力発生部１４０は、集塵ユニット１５０の前方に設けられる。つまり、吸引力発生部１４０は、吸引口１１２ａと集塵ユニット１５０との間に配置される。従って、吸引口１１２ａを介して吸い込まれた空気およびゴミは吸引力発生部１４０を通過した後、集塵ユニット１５０に流入される。詳細に、吸引口１１２ａを介して吸い込まれた空気およびゴミは吸引力発生部１４０に備えられたインペラ１４２を経て集塵ユニット１５０に流入される。つまり、本実施の形態のインペラ１４２は、吸引口１１２ａと集塵ユニット１５０との間に形成される流路上に露出されるべく配置される。通常、かかるインペラ１４２をバイパスインペラ（Ｂｙｐａｓｓ  ｉｍｐｅｌｌｅｒ）とも呼び、バイパスインペラを駆動するモータをバイパスモータとも呼ぶ。
【００３５】
吸引力発生部１４０が集塵ユニット１５０の後方に配置される場合と比較すると、吸引モータ１４１がインペラ１４２を相対的に遅い速度で回転させるとしても吸引口１１２ａへ同一レベルの吸引力が提供される。
【００３６】
なぜならば、吸引力発生部１４０が集塵ユニット１５０の前方に配置されると、吸引力発生部１４０で発生した真空圧は集塵ユニット１５０により圧力損失を受けることなく吸引口１１１ａに伝達されることができるからである。更なる理由は、吸引力発生部１４０が集塵ユニット１５０の前方に配置される場合、吸引力発生部１４０のインペラ１４２は吸引口１１２ａを介して吸い込まれた空気およびゴミを真空圧だけでなく機械的な摩擦により集塵ユニット１５０へ流入させることができるからである。ここで、インペラ１４２が機械的な摩擦により空気およびゴミを集塵ユニット１４０に流入させるということは、空気およびゴミがインペラ１４２の回転するブレード（図示せず）と直接接触することによって、ブレードとの摩擦により集塵ユニット１５０側への移動力が提供されたことを意味する。
【００３７】
一方、吸引力発生部１４０が集塵ユニット１５０の後方に配置される場合、吸引力発生部１４０より発生された真空圧は集塵ユニット１５０を経て吸引口１１２ａに伝達される。従って、集塵ユニット１５０は、吸引力発生部１４０から吸引口１１２ａに伝達される真空圧により圧力損失される。また、吸引力発生部１４０が集塵ユニット１５０の後方に配置される理由として、吸い込まれたゴミは吸引力発生部１４０に到達する前に集塵ユニット１５０に回収されるので、インペラ１４２が機械的な摩擦により吸い込まれたゴミを集塵ユニット１５０に流入することはできない。
【００３８】
このように、吸引力発生部１４０が集塵ユニット１５０の前方に配置される場合は、吸引力発生部１４０を集塵ユニット１５０の後方に配置する場合に比べて、インペラ１４２の回転速度を相対的に低下させても同一レベルの吸引力が吸引口１１２ａに提供されることができる。従って、インペラ１４２を回転させるために吸引モータ１４１が消耗する電源の量が減少するので、吸引モータ１４１に電源供給を行うバッテリ１３０の使用期間が延びる。さらに、インペラ１４２の回転速度が遅くなるにつれ、インペラ１４２の回転により生じるノイズが減少される効果がある。
【００３９】
図１および図３を参照すると、集塵ユニット１５０は、上部ケーシング１１１に形成された集塵ユニット装着室（Ｓ）に着脱自在に設けられ、サイクロン集塵部１６０、側面カバー１７０、フィルタ部材１８０、フィルタ保持部材１９０を備えてなる。
【００４０】
図１を参照すると、サイクロン集塵部１６０の一端１６０ａにはサイクロン入口１６２が形成される。吸引力発生部１４０を通過した空気およびゴミはサイクロン入口１６２を介してサイクロンチャンバー１６３に流入される。
【００４１】
図３および図５を参照すると、サイクロン集塵部１６０内にはサイクロンチャンバー１６３とゴミ回収チャンバー１６４を備えている。サイクロンチャンバー１６３は、サイクロン入口１６２を介して吸い込まれた空気からゴミの遠心分離を行い、ゴミ回収チャンバー１６４はサイクロンチャンバー１６３から分離されたゴミを回収する。かかるサイクロンチャンバー１６３とゴミ回収チャンバー１６４は１つの隔壁１６５を隔てて相互並列に配置される。サイクロンチャンバー１６３とゴミ回収チャンバー１６４はサイクロン集塵部１６０の他端１６０ｂで開口されている。
【００４２】
また、サイクロン集塵部１６０の上面１６０ｃには、集塵ユニット１５０を容易に移動させることができるよう取っ手部１６１が形成されている。また、サイクロン集塵部１６０の上面１６０ｃは、サイクロンチャンバー１６３およびゴミ回収チャンバー１６４が外部から透視できるよう透明な材質からなる。これによりユーザは集塵ユニット１５０を分離せずにもサイクロンチャンバー１６３にてゴミ分離が円滑に行なわれているかを確認することができ、さらにゴミ回収チャンバー１６４に回収されたゴミ量を確認することができる。
【００４３】
図３および図４を参照すると、側面カバー１７０は、サイクロン集塵部１６０の他端１６０ｂをカバーする。この側面カバー１７０は、サイクロン集塵部１６０に着脱自在に設けられている。ゴミ回収チャンバー１６４にゴミが回収された場合にサイクロン集塵部１６０から素麺カバー１７０を分離してゴミ回収チャンバー１７０に回収されたゴミを外部に排出させることができる。そして、側面カバー１７０には排気管１７１が形成されている。排気管１７１を介してサイクロンチャンバー１６３にてゴミの分離された空気がフィルタ部材１８０側へ排出される。
【００４４】
図３を参照すると、フィルタ部材１８０は、側面カバー１７０の外側面１７２に設けられ、サイクロンチャンバー１６３から排気された空気に含まれている残留ゴミをろ過する。
【００４５】
かかるフィルタ部材１８０は、フィルタ保持部材１９０により保持されることによって、側面カバー１７０に結合状態を保つ。フィルタ保持部材１９０は側面カバー１７０に着脱自在に設けられているので、フィルタ部材１８０に多くのゴミがくっついている場合、フィルタ保持部材１９０と共にフィルタ部材１８０を側面カバー１７０から分離してからフィルタ部材１８０についているゴミを払い落とす。また、フィルタ保持部材１９０は、フィルタ部材１８０を通過した空気がフィルタ保持部材１９０を通過できるように多数の空気通過孔１９１が形成されている。
【００４６】
上記構成を有する本実施のスティック型真空掃除機１の動作を図２、図５および図６を参照して説明すると次の通りである。
【００４７】
ユーザが本実施の形態のスティック型真空掃除機１を稼動させると、回転ブラシモータ１２１は、バッテリ１３０からの電源供給を受けて回転ブラシ１２０を回転し、吸引モータ１４１もバッテリ１３０からの電源の供給を受けてインペラ１４２を回転させる。インペラ１４２の回転により吸引力（または真空圧）が発生し、吸引力は吸引口の連結管１４３（図２参照）を介して吸引口１１２ａに提供される。
【００４８】
前述したように、吸引モータ１４１とインペラ１４２を備えた吸引力発生部１４０は、集塵ユニット１５０と吸引口１１２ａとの間に配置されるので、吸引モータ１４１がインペラ１４２を割合遅い速度で回転させるとしても、一定レベルの吸引力を吸引口１１２ａに提供することが可能である。従って、吸引モータ１４１に電源の供給を行うバッテリ１３０の寿命が延びると共に、インペラ１４２の速度が割合遅くなることで、インペラ１４２からのノイズ量を減少させることができる。
【００４９】
ユーザが被掃除面に沿って吸引口組立体１００を移動させながら被掃除面に対する掃除を行なうと、吸引口１１２ａを介して周りの空気と共に被掃除面上のゴミが吸引口１１２ａに吸い込まれる。この際に、回転ブラシ１２０は回転しつつ被掃除面上にぐっついたゴミに打撃を加えて、被掃除面から容易に分離できる。これによりゴミの吸引率が向上される。
【００５０】
吸引口１１２ａを介して吸い込まれた空気およびゴミは、吸引口連結管１４３（図２参照）を介してインペラ１４２へガイドされる。そして、吸い込まれた空気およびゴミは吸引力だけでなく、インペラ１４２との機械的な摩擦により後方にガイドされてサイクロン集塵部１６０のサイクロン入口１６２に流入される。このようにインペラ１４２は、吸引力と共に機械的な摩擦を介して空気およびゴミがサイクロン入口１６２へ流入されることを誘導するので、インペラ１４２の回転駆動する吸引モータ１４１の出力は相対的に減少される。
【００５１】
図５を参照すると、サイクロン入口１６２へ吸い込まれた空気とゴミは、サイクロンチャンバー１６３内で回転し側面カバー１７０側に移動する。このとき、ゴミは遠心力により空気から分離されてゴミ回収チャンバー１６４に回収される。ゴミの分離された空気は側面カバー１７０に形成された排気管１７１を介してサイクロンチャンバー１６３から脱出し、側面カバー１７０に結合されたフィルタ部材１８０へ達する。フィルタ部材１８０に達した空気はフィルタ部材１８０を通過しながら残留ゴミがろ過され、フィルタ保持部材１９０の空気通過孔１９１を介して集塵ユニット１５０から排出される。集塵ユニット１５０からの排気は上部ケーシング１１１の後端に形成された排気孔１１１ａ（図１参照）などの排出通路をッ介して吸引組立体１００から抜け出て外部に排出される。
【００５２】
一方、ユーザは掃除中にもサイクロン集塵部１６０内のサイクロンチャンバー１６３及びゴミ回収チャンバー１６４の状態を直接目で確認できる。もし、ゴミ回収チャンバー１６４にゴミが回収され過ぎたときには、集塵ユニット１５０を集塵ユニット装着室（Ｓ）（図１参照）から取り外し、サイクロン集塵部１６０と側面カバー１７０とを分離してから、ゴミ回収チャンバー１６４に回収されたゴミを外部に排出することが可能である。この際に、フィルタ保持部材１９０と共にフィルタ部材１８０を側面カバー１７０から取り外し、フィルタ部材１８０についたゴミを取り払うこともできる。
【００５３】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【００５４】
本発明は真空掃除機に適用できる。
【図面の簡単な説明】
【００５５】
【図１】本発明の実施形態に係るスティック型真空掃除機の斜視図である。
【図２】図１のスティック型真空掃除機に備えられた吸引組立体を上部ケーシングが取り除かれた状態を示す平面図である。
【図３】図１のスティック型真空掃除機に備えられた集塵ユニットの部分分解斜視図である。
【図４】図３の集塵ユニットに備えられた側面カバーを他の方向からみた斜視図である。
【図５】図１のＶ−Ｖ線に沿った断面図である。
【図６】図１のＶＩ−ＶＩ線に沿った断面図である。
【符号の説明】
【００５６】
１００    吸引組立体
１１０    ケーシング部
１１２ａ  吸引口
Ｓ        集塵ユニット装着室
１２０    回転ブラシ
１２１    回転ブラシモータ
１３０    電源供給部（バッテリ）
１４０    吸引力発生部
１４１    吸引モータ
１４２    インペラ
１４３    吸引口連結管
１５０    集塵ユニット
１６０    サイクロン集塵部
１６２    サイクロン入口
１６３    サイクロンチャンバー
１６４    ゴミ回収チャンバー
１６５    隔壁
１７０    側面カバー
１７１    排気管
１８０    フィルタ部材
１９０    フィルタ保持部材
１９１    空気通過孔
【図１】
2009050687.tif 000003
【図２】
2009050687.tif 000004
【図３】
2009050687.tif 000005
【図４】
2009050687.tif 000006
【図５】
2009050687.tif 000007
【図６】
2009050687.tif 000008